(57)【要約】【課題】効果的な放熱を図ることができると同時に、指向性の強いＬＥＤの光照射角度を拡げることができるＬＥＤ照明装置を提供する。【解決手段】透光性を有する直管状のカバー２１と、カバー２１内に長手方向に沿って設けられ、カバー２１の略断面視中心から寄ったオフセット位置に配置される放熱基板２２と、放熱基板２２のオフセット位置の側と逆側に固定され、カバー２１の長手方向に沿って複数列設されるＬＥＤ２３とを有する蛍光灯型のＬＥＤ照明灯２０と、ＬＥＤ照明灯２０を着脱自在に保持すると共に、ＬＥＤ照明灯２０を電気的に接続する保持部３０と、ＬＥＤ照明灯２０のオフセット位置側を覆うように設けられる凹形の反射体４０と、ＬＥＤ照明灯２０のオフセット位置側と逆側に設けられるルーバー５０とを備えるＬＥＤ照明装置１００。【選択図】図２
2012104349.tif 000002
【特許請求の範囲】
【請求項１】
透光性を有する直管状のカバーと、前記カバー内に長手方向に沿って設けられ、前記カバーの略断面視中心から寄ったオフセット位置に少なくとも一部分が配置される放熱基板と、前記放熱基板の前記オフセット位置の側と逆側に固定され、前記カバーの長手方向に沿って複数列設されるＬＥＤとを有する蛍光灯型のＬＥＤ照明灯と、
前記ＬＥＤ照明灯を着脱自在に保持すると共に、前記ＬＥＤ照明灯を電気的に接続する保持部と、
前記ＬＥＤ照明灯の前記オフセット位置側を覆うように設けられる凹形の反射体と、
前記ＬＥＤ照明灯の前記オフセット位置側と逆側に設けられるルーバーと、
を備えることを特徴とするＬＥＤ照明装置。
【請求項２】
前記ＬＥＤ照明灯の前記ＬＥＤを、前記カバーの略断面視中心から前記放熱基板側に寄ったオフセット位置に設けると共に、
前記カバーを透光性で且つ不透明とすることを特徴とする請求項１記載のＬＥＤ照明装置。
【請求項３】
前記ＬＥＤ照明灯の前記放熱基板を、前記カバーに係合して取り付けられる基板本体と、前記ＬＥＤを搭載して前記基板本体に固定されるＬＥＤ基板とから構成することを特徴とする請求項１又は２記載のＬＥＤ照明装置。
【請求項４】
前記基板本体と前記ＬＥＤ基板の双方をアルミ製とすることを特徴とする請求項３記載のＬＥＤ照明装置。
【請求項５】
前記ＬＥＤ照明灯の前記カバーに、内周側に突出して長手方向に延びる一対のカバーレールを一体的に形成し、
前記ＬＥＤ照明灯の前記放熱基板を、前記一対のカバーレールに係合して保持することを特徴とする請求項１〜４の何れかに記載のＬＥＤ照明装置。
【請求項６】
請求項１〜５の何れかに記載のＬＥＤ照明装置を側壁に設け、
前記ＬＥＤ照明灯の長手方向と前記ルーバーの長手方向とが前記壁面の横方向になるように配置し、
前記ルーバーの複数を前記壁面の縦方向に並べて設け、
前記ルーバーの各々を照明光の照射方向に対して斜め下方に向けることを特徴とする高欄照明設備。
【発明の詳細な説明】
【技術分野】
【０００１】
本発明は、蛍光灯型のＬＥＤ照明灯を光源とし、高速道路の高欄照明等に用いられるＬＥＤ照明装置及び高欄照明設備に関する。
【背景技術】
【０００２】
近年、ＬＥＤ（発光ダイオード）を光源とする照明灯が実用化され、蛍光灯型のＬＥＤ照明灯も実用化されている。蛍光灯型のＬＥＤ照明灯は、複数のＬＥＤを直列に配置し、その直列配置のＬＥＤを直管状のカバー内に収納して構成される（特許文献１参照）。
【先行技術文献】
【特許文献】
【０００３】
【特許文献１】実用新案登録第３１５１５０１号公報
【発明の概要】
【発明が解決しようとする課題】
【０００４】
ところで、蛍光灯型のＬＥＤ照明灯は、発熱と光照射角度に関して問題を有する。発熱に関しては、蛍光灯型のＬＥＤ照明灯で十分な発光輝度を得るには、ワット数が高いＬＥＤを用いる必要があるが、ワット数の高いＬＥＤを直管状のカバー内に多数配列すると、発熱量が増大してしまうという問題である。
【０００５】
また、光照射角度に関し、ＬＥＤは光照射の指向性が強く、照射光が広い角度に拡がらない特性を有するため、現状では広角度の照射角度が要求される用途に用いることが難しいという問題がある。例えばトンネル照明や表示板のバックライト照明として蛍光灯型のＬＥＤ照明灯を用いようとすると、光照射角度が狭くなりすぎ、用途に適した光照射特性を得ることができない。
【０００６】
これらの発熱と光照射角度の問題については特許文献１にも言及されており、特許文献１では、複数のＬＥＤを直列配置でアルミ基板に直接設置し、アルミ基板を直管状のカバーの一部から外部に露出させ、アルミ基板を介して放熱する構成で発熱対策が施されている。しかしながら、ＬＥＤの光照射方向の両側に一対の光反射板を配置し、この一対の光反射板で乱反射した光を集中して輝度を高めることの開示があるものの、光照射角度を拡げる構成についての開示はなく、発熱と光照射角度の問題の双方を解決するには至っていない。
【０００７】
本発明は上記課題に鑑み提案するものであって、効果的な放熱を図ることができると同時に、指向性の強いＬＥＤの光照射角度を拡げることができるＬＥＤ照明装置及びそのＬＥＤ照明装置を用いる高欄照明設備を提供することを目的とする。
【課題を解決するための手段】
【０００８】
本発明のＬＥＤ照明装置は、透光性を有する直管状のカバーと、前記カバー内に長手方向に沿って設けられ、前記カバーの略断面視中心から寄ったオフセット位置に少なくとも一部分が配置される放熱基板と、前記放熱基板の前記オフセット位置の側と逆側に固定され、前記カバーの長手方向に沿って複数列設されるＬＥＤとを有する蛍光灯型のＬＥＤ照明灯と、前記ＬＥＤ照明灯を着脱自在に保持すると共に、前記ＬＥＤ照明灯を電気的に接続する保持部と、前記ＬＥＤ照明灯の前記オフセット位置側を覆うように設けられる凹形の反射体と、前記ＬＥＤ照明灯の前記オフセット位置側と逆側に設けられるルーバーとを備えることを特徴とする。
この構成によれば、カバーのオフセット位置に寄った放熱基板にＬＥＤを配置することにより、放熱基板、カバーを介して効果的な放熱を図ることができる。同時に、その配置のＬＥＤの発光をオフセット位置側の反射体で反射することにより、指向性の強いＬＥＤの光照射角度を格段に拡げることができる。
【０００９】
本発明のＬＥＤ照明装置は、前記ＬＥＤ照明灯の前記ＬＥＤを、前記カバーの略断面視中心から前記放熱基板側に寄ったオフセット位置に設けると共に、前記カバーを透光性で且つ不透明とすることを特徴とする。
この構成によれば、指向性の強いＬＥＤの光照射角度をより一層確実に拡げることができる。
【００１０】
本発明のＬＥＤ照明装置は、前記ＬＥＤ照明灯の前記放熱基板を、前記カバーに係合して取り付けられる基板本体と、前記ＬＥＤを搭載して前記基板本体に固定されるＬＥＤ基板とから構成することを特徴とする。
この構成によれば、分離した基板本体にＬＥＤ基板を固定することにより、放熱基板に容易にＬＥＤを搭載することができる。
【００１１】
本発明のＬＥＤ照明装置は、前記基板本体と前記ＬＥＤ基板の双方をアルミ製とすることを特徴とする。
この構成によれば、基板本体とＬＥＤ基板の双方でより確実且つ効果的な放熱を行うことができる。
【００１２】
本発明のＬＥＤ照明装置は、前記ＬＥＤ照明灯の前記カバーに、内周側に突出して長手方向に延びる一対のカバーレールを一体的に形成し、前記ＬＥＤ照明灯の前記放熱基板を、前記一対のカバーレールに係合して保持することを特徴とする。
この構成によれば、カバーに放熱基板を容易に取り付けることができる。更に、放熱基板やＬＥＤのオフセット位置への配置を容易に行うことができる。
【００１３】
本発明の高欄照明設備は、本発明のＬＥＤ照明装置を側壁に設け、前記ＬＥＤ照明灯の長手方向と前記ルーバーの長手方向とが前記壁面の横方向になるように配置し、前記ルーバーの複数を前記壁面の縦方向に並べて設け、前記ルーバーの各々を照明光の照射方向に対して斜め下方に向けることを特徴とする。
この構成によれば、高欄照明に要求される必要十分な照明性能を有し、安全性に優れる高欄照明を低コストで得ることができる。
【発明の効果】
【００１４】
本発明のＬＥＤ照明装置或いはそのＬＥＤ照明装置を有する高欄照明設備によれば、効果的な放熱を図ることができると同時に、指向性の強いＬＥＤの光照射角度を拡げることができる。
【図面の簡単な説明】
【００１５】
【図１】本発明による実施形態のＬＥＤ照明装置を示す正面図。
【図２】本発明による実施形態のＬＥＤ照明装置を示す縦断面図。
【図３】図２のＡ−Ａ矢視断面図。
【図４】図２のＢ−Ｂ矢視断面図。
【図５】実施形態のＬＥＤ照明装置におけるＬＥＤ照明灯及び反射体を示す断面説明図。
【図６】ＬＥＤ照明灯の一端部の正面図。
【発明を実施するための形態】
【００１６】
〔実施形態のＬＥＤ照明装置及び高欄照明設備〕
本発明による実施形態のＬＥＤ照明装置及び高欄照明設備について説明する。本実施形態のＬＥＤ照明装置１００は、例えば高速道路の高欄照明設備に用いられる高欄照明装置であり、図１〜図５に示すように、前面に開口１１を有する直方体形箱状の筐体１０と、筐体１０の横方向を長手方向として筐体１０内に収納され、筐体１０の縦方向に複数本（図示例では３本）並設されているＬＥＤ照明灯２０と、ＬＥＤ照明灯２０を筐体１０内で所定位置に保持する保持部３０と、ＬＥＤ照明灯２０の背面側を覆うように設けられる凹形の反射体４０と、ＬＥＤ照明灯２０の前面側に設けられるルーバー５０と、ルーバー５０の前面側に設けられる透光性の保護板６０と、筐体１０の背面側に設けられる取付具７０とを備える。
【００１７】
ＬＥＤ照明灯２０は、蛍光灯型であり、透光性を有する直管状のカバー２１と、カバー２１内に長手方向に沿って設けられ、カバー２１の略断面視中心から寄ったオフセット位置に配置される放熱基板２２と、カバー２１の長手方向に沿って複数列設されるＬＥＤ２３と、カバー２１の両端を封止する封止部材２４と、封止部材２４から突出形成されるＬＥＤ２３に電源を供給するための電極２５を有する。電極２５は、各一端側に２つを組にして設けられている（図６参照）。
【００１８】
カバー２１は、両端開放の直管形状であり、カバー２１内には放熱基板２２とＬＥＤ２３とが内蔵されている。カバー２１は、透光性を有し且つ光を拡散する不透明の素材で形成されており、例えばポリカーボネイト等で形成される。カバー２１を不透明とすることにより、ＬＥＤ２３が光照射特性として有する点光源としての性質を和らげることができ、光照射の均質性を高めることが可能となる。
【００１９】
カバー２１には、内周側に突出する一対のカバーレール２１１・２１１が長手方向に延びて形成されている。カバーレール２１１は、断面視略Ｌ字形で内側に屈曲する屈曲片を有する形状であり、一対のカバーレール２１１・２１１の屈曲片は相互に近づくように延びて対向している。カバーレール２１１は、カバーレール２１１はカバー２１の製造時に或いは後付けにより、カバー２１と一体的に形成されるが、例えば樹脂成形による製造時にカバーレール２１１を有するカバー２１を一体的に形成すると、容易に形成することができて好適である。また、カバーレール２１１はカバー２１と同一素材で形成することが好ましい。
【００２０】
放熱基板２２は、例えばアルミ製の長尺板状の部材であり、放熱性に優れる素材で構成される。本例の放熱基板２２は、カバー２１に係合して取り付けられるアルミ製の基板本体２２１と、ＬＥＤ２３を搭載して基板本体２２１に固定されるＬＥＤ基板２２２とから構成され、基板本体２２１とＬＥＤ基板２２２は双方ともアルミ製になっている。ＬＥＤ基板２２２は、基板本体２２１に形成されている基板レール２２３・２２３に差し込んで係合するようにして固定され、ＬＥＤ２３の搭載面の裏面側である平坦面が基板本体２２１に接合されている。
【００２１】
基板本体２２１は、カバー２１の内周とカバーレール２１１・２１１との間に形成される空間に差し込んで係合され、カバー２１の内周とカバーレール２１１・２１１との間で挟持される。即ち、放熱基板２２は、一対のカバーレール２１１・２１１に係合して保持され、カバー２１の略断面視中心から内周面に寄ったオフセット位置に配置される。
【００２２】
ＬＥＤ２３は、長尺平板状のＬＥＤ基板２２２に一列に列設して複数個搭載されている。ＬＥＤ２３は、ＬＥＤ基板２２２が放熱基板２２の基板本体２２１のオフセット位置の側と逆側に固定されることにより、放熱基板２２のオフセット位置と逆側に固定されている。本例のＬＥＤ２３は、カバー２１の略断面視中心から放熱基板２２側に寄ったオフセット位置に設けられている。
【００２３】
保持部３０は、ＬＥＤ照明灯２０を着脱自在に保持すると共に、ＬＥＤ照明灯２０を電気的に接続する部位である。保持部３０は、断面視Ｃ字形の保持フレーム３１の開放側を筐体１０の背面側に固着されていると共に、保持フレーム３１からＬＥＤ照明灯２０側に突出するようにランプホルダー３２が設けられ、一対のランプホルダー３２・３２でＬＥＤ照明灯２０を着脱自在に保持するようになっている。ＬＥＤ照明灯２０の両端の電極２５・２５は、図示省略するランプホルダー３２・３２の湾曲した電極挿入孔にそれぞれ差し込まれ、ＬＥＤ照明灯２０を図示省略する点灯回路に導通接続されると共に、ランプホルダー３２・３２でＬＥＤ照明灯２０がラッチ状態で保持される。本例では複数対である３対のランプホルダー３２が複数本である３本のＬＥＤ照明灯２０を平行になるように保持しており、ＬＥＤ照明灯２０は保持部３０で筐体１０の開口１１側の所定方向に向けて保持される。
【００２４】
反射体４０は、断面視凹形で長手方向に延びる形状であり、ＬＥＤ照明灯２０のオフセット位置側を覆うように設けられ、凹形の反射体４０の凹側にＬＥＤ照明灯２０が配置される。本例では、複数のＬＥＤ照明灯２０の各々に対応する反射体４０が一連で形成されており、各断面視凹形の反射体４０で各ＬＥＤ照明灯２０の照射光を反射するようになっている。反射体４０が、ＬＥＤ照明灯２０の中心軸を通る面よりもオフセット位置方向等に、ＬＥＤ２３が直接的に照射する光とカバー２１の反射を介して間接的に照射する光を反射することにより（図５の光路Ｌ参照）、ＬＥＤ照明装置１００の光照射角度を例えば３００°など非常に広くすることが可能となる。
【００２５】
ルーバー５０は、ＬＥＤ照明灯２０のオフセット位置側と逆側に設けられ、その長手方向が筐体１０の横方向となるように配置されると共に、筐体１０の縦方向に並ぶように複数設けられている。各ルーバー５０は、その両端部を保持され、傾斜角度を調整可能に取り付けられており、例えばＬＥＤ照明灯２０の照明光の照射方向に対して斜め下方に向けて設けられる。
【００２６】
保護板６０は、ガラス板、アクリル板などの透光性の素材で形成され、ルーバー５０の前面側の位置で、筐体１０の開口１１を覆うようにして筐体１０に取り付けられる。また、取付具７０は、筐体１０を壁面や天井面などの所定の被取付面に取り付けるものであり、例えば壁面等に打ち込まれるアンカーボルトと、このアンカーボルトに筐体１０を締着するナット等から構成される。
【００２７】
本実施形態の高欄照明装置であるＬＥＤ照明装置１００を高速道路等の高欄照明設備とする場合には、例えばＬＥＤ照明灯２０の長手方向とルーバー５０の長手方向とが壁面の横方向となるように配置して、ＬＥＤ照明装置１００を取付具７０により側壁８０に取り付け、複数のルーバー５０が壁面の縦方向に並ぶように配置する。各ＬＥＤ照明灯２０の光照射方向は水平方向で道路面に向くように設定される。そして、各ルーバー５０は、ＬＥＤ照明装置１００の照明光の照射方向に対して斜め下方に向くように設定され、道路を走る車両の運転者等にグレアが生ずることを防止可能になっている。
【００２８】
上記実施形態のＬＥＤ照明装置１００及び高欄照明設備は、カバー２１の内周面の一部に寄ったオフセット位置に放熱基板２２とＬＥＤ２３を配置することにより、放熱基板２２とカバー２１を介して、ＬＥＤ２３の発熱を効果的に放熱することができる。同時に、放熱基板２２とＬＥＤ２３のオフセット方向を反射体４０の方向とし、そのオフセット位置を反射体４０に寄った位置とすることにより、オフセット位置側の反射体４０の反射で指向性の強いＬＥＤ２３の光照射角度を格段に拡げることができる。
【００２９】
また、分離した基板本体２２１にＬＥＤ基板２２２を固定することにより、放熱基板２２に容易にＬＥＤ２３を搭載することができる。また、カバー２１に一体的に形成するカバーレール２１１に放熱基板２２を係合して保持させる構成により、カバー２１に放熱基板２２を容易に取り付けることができると共に、放熱基板２２やＬＥＤ２３のオフセット位置への配置を容易に行うことができる。
【００３０】
また、高欄照明に要求される必要十分な照明性能を得ることができると共に、道路を走る車両の運転者等にグレアが生ずることを防止することが可能であり、安全性に優れる高欄照明を低コストで得ることができる。
【００３１】
〔実施形態の変形例等〕
本明細書開示の発明は、各発明、実施形態、各例の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものである。そして、下記変形例等も包含する。
【００３２】
例えばＬＥＤ照明装置１００のＬＥＤ照明灯２０、保持部３０、反射体４０の設置個数は適宜であり、又、反射体４０は一連で設けずに各ＬＥＤ照明灯２０に対応して独立して設ける構成としてもよい。また、ルーバー５０の設置個数も必要に応じて適宜である。
【００３３】
また、本発明のＬＥＤ照明装置は、上記高欄照明装置以外の適宜の照明装置に適用することが可能である。また、本明細書開示の発明には、ＬＥＤ照明灯のオフセット位置側と逆側にルーバーを設けないＬＥＤ照明装置も包含され、ルーバーを必要に応じて設けない構成とすることも可能であり、例えばトンネル天井面に設置されるトンネル照明装置、或いは高速道路のインターチェンジ等に設置されている表示板のバックライト照明装置等とすることが可能である。
【産業上の利用可能性】
【００３４】
本発明は、例えば高速道路の高欄照明等に利用することができる。
【符号の説明】
【００３５】
１００…ＬＥＤ照明装置  １０…筐体  １１…開口  ２０…ＬＥＤ照明灯  ２１…カバー  ２１１…カバーレール  ２２…放熱基板  ２２１…基板本体  ２２２…ＬＥＤ基板  ２２３…基板レール  ２３…ＬＥＤ  ２４…封止部材  ２５…電極  ３０…保持部  ３１…保持フレーム  ３２…ランプホルダー  ４０…反射体  ５０…ルーバー  ６０…保護板  ７０…取付具  ８０…側壁
【図１】
2012104349.tif 000003
【図２】
2012104349.tif 000004
【図３】
2012104349.tif 000005
【図４】
2012104349.tif 000006
【図５】
2012104349.tif 000007
【図６】
2012104349.tif 000008